(57)【要約】      （修正有）【課題】同時に複数のチャンネルの新規投稿分と過去分を適切な順番で手軽に視聴チェックでき対話に近い形も可能な音声掲示板を提供する。【解決手段】複数のチャンネルに属する音声単位の集合に対し所定の優先基準でシリアライズして端末から再生する。優先基準は、１）利用者が指定した複数のチャンネルに属する各音声単位の録音時刻の新しさ、２）利用者が指定した複数のチャンネル間の優先順位、３）音声単位を自動音声認識したテキスト、もしくは、音声単位に紐づけられたテキストに含まれる、利用者が指定したキーワードの優先順位又はキーワードが含まれる度合い等である過去分をさかのぼる限界を日時で指定できる。優先基準を指定したマナーモード、おやすみモード、対話モード、複数監視モードを、利用者による手動、音声認識、又は、自動スケジュールで、切り替え可能である。【選択図】なし【特許請求の範囲】
【請求項１】
第一の端末の音声入力装置から入力される音量の少なさの連続性を区切り基準として又は該入力される内容の特殊性（所定の予約語の発音等）を区切り基準として
自動的に区切った音声単位（他えば、３秒の沈黙の直前の一息かつ一文の発言、取り決めた造語「ピリオどうぞ」までの複数文の発言、等）に対応する音声データを、
該入力された音声単位の順にサーバーに送信し記憶されるようにする機能と、
サーバーに記憶された前記音声単位を新しい音声単位から順に通信を利用して第一の端末又は第二の端末で再生する機能と
第一又は第二の端末が複数のサーバー又は細分化されたサーバーの複数のＵＲＩ（以降、これらを複数のチャンネルと呼ぶ）にアクセスして音声単位を取得又は再生する機能と
を有するコンピュータシステムであって、
複数のチャンネルに属する音声単位の集合に対しコンピュータが所定の優先基準でシリアライズした順序で第一又は第二の端末から再生する機能を備えることを特徴とする
コンピュータシステム。
【請求項２】
前記所定の優先基準が、
利用者が指定した単数又は複数のチャンネルに属する各音声単位の録音時刻（開始時刻、終了時刻、中央時刻、等）である
請求項１に記載のコンピュータシステム。
【請求項３】
前記所定の優先基準が、
利用者が指定した複数のチャンネル間の優先順位である
請求項１又は２に記載のコンピュータシステム。
【請求項４】
前記所定の優先基準が、
音声単位を自動音声認識したテキスト、もしくは、音声単位に紐づけられたテキスト
に含まれる、
利用者が指定したキーワードの優先順位又はキーワードが含まれる度合い、又は、それらの組合せである
請求項１から３のいずれか一項に岸あのコンピュータシステム。
【請求項５】
日時でさかのぼる限界を指定できるようにした
請求項１から４のいずれか一項に記載のコンピュータシステム。
【請求項６】
前記所定の優先基準を、
利用者による手動で、利用者による音声認識で、又は、自動スケジュールで、
切り替え可能なように構成した
請求項１から５のいずれか一項に記載のコンピュータシステム。
【請求項７】
請求項１から６のいずれか一項に記載のコンピュータシステムで使用するコンピュータプログラム。
【請求項８】
請求項１から６のいずれか一項に記載のコンピュータシステムを用いたコミュニケーション方法。
【発明の詳細な説明】
【技術分野】
【０００１】
本発明は、グループ音声通信と過去音声確認のためのコンピュータータシステム、コンピュータプログラム及び方法に関する。
【背景技術】
【０００２】
従来、インターネットを介した複数関係者間のグループ通話は、操作が煩雑であったりしたため、老人ホーム高齢者間の気軽な遠隔井戸端会議や家族間の日常的な連絡、頻度の高い会社業務連絡、等にはあまり用いられなかった。
また、会話の内容を後で確認する操作・手続も、テキストチャットに比べて煩雑であり、ほとんど活用されてこなかった。
また、特許文献１、２、３はそれらをある程度解決しようとしたものだったが、同時に複数のチャンネル（しかも複数のサーバーに跨る）を適切な順番で（シリアライズする等して）視聴チェックしたり、緊急警報時やマナーモード時や就寝モード時の各ＴＰＯに適切に対応することが困難であった。
【先行技術文献】
【特許文献】
【０００３】
【特許文献１】特願２０１２−１１０１２５
【特許文献２】特願２０１７−０００２８７
【特許文献３】特願２０１８−０７４３３７
【非特許文献】
【０００４】
【非特許文献１】「ＳＫＹＰＥ  会議通話」  http://www.skype.com/intl/ja/features/allfeatures/conference-calls/
【発明の概要】
【発明が解決しようとする課題】
【０００５】
したがって、本発明が解決しようとする課題は、同時に複数のチャンネル（しかも複数のサーバーに跨ることもある）の新規投稿分と過去分を適切な順番で手軽に視聴チェックしたり、緊急警報時やマナーモード時や就寝モード時の各ＴＰＯに適切に対応することができる、グループ通話に近い運用も可能な音声掲示板を提供することである。なお、以上の説明でも、以下の説明でも主コンテンツを「音声」としているが、端末側にマイク付ビデオカメラを設けて動画（ＭＰＥＧ形式等）を取り扱い可能としたり、さらにテキスト等と紐づけたマルチメディア複合コンテンツ（ＺＩＰ形式等）とすることも明らかに可能である。また、本発明のシリアライズポリシーは、ストリーミングではなく、一つ一つの表現単位のダウンロード再生であるため、動画やテキストの同時表示や音声合成にも適しており、発明の範囲から動画やテキストを含めものや介したものを排除するものではない。
【課題を解決するための手段】
【０００６】
かかる課題を解決するため、本発明の請求項１は、
第一の端末の音声入力装置から入力される音量の少なさの連続性を区切り基準として又は該入力される内容の特殊性（所定の予約語の発音等）を区切り基準として
自動的に区切った音声単位（他えば、３秒の沈黙の直前の一息かつ一文の発言、取り決めた造語「ピリオどうぞ」までの複数文の発言、等）に対応する音声データを、
該入力された音声単位の順にサーバーに送信し記憶されるようにする機能と、
サーバーに記憶された前記音声単位を新しい音声単位から順に通信を利用して第一の端末又は第二の端末で再生する機能と
第一又は第二の端末が複数のサーバー又は細分化されたサーバーの複数のＵＲＩ（以降、これらを複数のチャンネルと呼ぶ）にアクセスして音声単位を取得又は再生する機能と
を有するコンピュータシステムであって、
複数のチャンネルに属する音声単位の集合に対しコンピュータが所定の優先基準でシリアライズした順序で第一又は第二の端末から再生する機能を備えることを特徴とする
コンピュータシステムを提供する。
：なお、前記切り替えを端末の音声入力装置から入力される内容により利用者が指示できるようにすることが有利である。
：また、端末の電源もしくは音声入力装置のＯＮ／ＯＦＦ、入出力音量の大小、又は、それらの組合せについて、
端末の音声入力装置から入力される内容により利用者が指示できるようにすることが有利である。
：また、サーバーに記憶され端末に通信された音声単位を端末が記憶し、
音声単位を再生すべき再度の機会に再度同様の通信をすることなく再生できるようにすることが有利である。
：なお、いずれかの端末において、音声単位の再生を開始すると決定したとき、又は、音声単位の再生が終了したとき、次に再生すべき音声単位を
該当するサーバー又は細分化されたサーバーの該当するＵＲＩ（複数のチャンネル）のいずれかに
該端末が問い合わせするようにすることができる。また、複数のチャンネルに問い合わせた結果を端末が総合して端末側が有する優先順位ロジックに基づいて、端末側でシリアライズすることもできる。
：また、サーバーに記憶する音声単位として端末における利用者の発言以外に、各サーバー又は細分化された該サーバーの複数の各ＵＲＩに関連づけた該当利用者層が暗記したい内容、リフレッシュのために聞きたい音楽、勉強したいテキスト又はニュース記事の系列等を記憶することもできる。
＞これにより、複数のグループの会話や業務連絡を手間なく効率的にチェックしたり、コメント／応答したりすることができるようになる。
また、本発明の請求項２は、
前記所定の優先基準が、
利用者が指定した単数又は複数のチャンネルに属する各音声単位の録音時刻（開始時刻、終了時刻、中央時刻、等）である
請求項１に記載のコンピュータシステムを提供する。
：録音時刻の新しい音声単位から順番に過去にさかのぼること（さかのぼり中に更に新たな音声単位が発生した（該当チャンネルに投稿された）ときはそれも遅すぎない適切な順番で再生する）により、対話と過去分チェックを両立することができる。
：この場合、有利な実施形態では、（複数のチャンネルにまたがって）新しく録音終了された音声単位をより優先して（つまり先に再生して）、そこからより古い音声単位へとさかのぼって順番に再生するようにし、さかのぼりの途中で最初に再生した音声単位より新しい音声単位が（指定したチャンネル集合のいずれかに）録音されたときは、現在再生している音声単位の再生完了後に、＜次に再生しようとしていた位置（日時分秒で指定してもよい）とそのさかのぼりの終了位置（これも日時分秒で指定してもよい）＞の組を専用スタック構造にプッシュした上で、その新しく録音された音声単位（新しく複数録音されたときは音声単位「集合」となる）を（「集合」となる場合はその集合内の優先順位で）再生した後に、その専用スタックからポップして、元のさかのぼりに再帰的に戻るようにすることができる。
：また、この専用スタックによる、さかのぼりの非連続な制御を、主に音で聞いている利用者に知らせるため、画面にスタックの中身を表示したり、音声の中に、サーバーや端末の非連続的な制御の内容を合成音声等で明示するようにすることもできる。なお、緊急性を重視して、再生を完了することなく中断して上記非連続の制御を行うようにプログラムすることもできる。
＞これにより、時間とともに結果が推移する複数のチャンネルについても、最新の、すなわち、より（結果に近く）重要な内容から先に視聴することが可能になる。
また、本発明の、請求項３は、
前記所定の優先基準が、
利用者が指定した複数のチャンネル間の優先順位である
請求項１又は２に記載のコンピュータシステムを提供する。
：例えば、チャンネル１をチャンネル２より優先するようにしたい場合には、同時刻に録音終了した音声単位は、優先したチャンネルに属するものを優先して再生するように端末又はサーバーをプログラム又は設定することができる。
：また、チャンネル間の優先順位を録音時刻の新しさよりも優先する場合には、同じチャンネルに属する音声単位で時間をさかのぼることを、チャンネル間優先順位に従って各チャンネルで行うようにプログラムすることができる。この場合の、専用スタックの記憶単位は、＜どのチャンネルを再生しているか、次にどの音声単位を再生すべきか、（当該さかのぼりで）最後にどの音声単位を再生すべきか（日時でさかのぼる限界を指定する場合）＞の組となる。
：優先順位づけの一態様として、緊急チャンネルフラグを設ける等したときは、現在再生している音声単位の再生完了をまたずして、緊急チャンネルの新しい音声単位を割り込ませて再生するようにプログラムすることもできる。
＞これにより、利用者による複数チャンネルの視聴において、テーマの行き来が少なくなり、話の流れを追いやすくなる。また、チャンネル間の行き来の際にこれから再生するチャンネルの番号や音声単位の番号等を音声合成して示すコストを節約しやすくなる。
また、本発明の請求項４は、
前記所定の優先基準が、
音声単位を自動音声認識したテキスト、もしくは、音声単位に紐づけられたテキスト
に含まれる、
利用者が指定したキーワードの優先順位又はキーワードが含まれる度合い、又は、それらの組合せである
請求項１から３のいずれか一項に岸あのコンピュータシステムを提供する。
：音声単位に紐づけられたテキストとしては、ハッシュタグのような単語やキャプション的な文章が考えられ、これらを音声単位のダウンロードと同時に端末にダウンロードして紐づけて記憶しておくことにより、明らかにこのような実相が可能となる。
＞これにより、興味との合致の度合い等に応じて、複数のチャンネル等から、利用者の手間を少なく優先的に（＝効率的に）視聴することができる。
また、本発明の請求項５は、
日時でさかのぼる限界を指定できるようにした
請求項１から４のいずれか一項に記載のコンピュータシステムを提供する。
：日時でさかのぼる限界を指定する例としては、平成３０年５月１日０時０分０秒以前に録音終了した音声単位は、優先順位からはずす、などとするものである。この指定は、このように定数とすることもでき、現在時刻から２４時間以内、当営業日以内等のように指定とすることもできる。優先順位からはずすための実装アルゴリズムは、自明であるが、たとえば、限界を超えた音声単位の評価スコアを一律０にしたり、音声単位の月次アーカイブフォルダごと検索しよう制御するなどして実装することができる。
＞これにより、チャンネル間の優先順位にしたがって特定のチャンネルのみを昔までさかのぼることにより、他のチャンネルの最新の音声単位の再生があまりにも遅れてしまうという弊害を避けることができる。
また、本発明の請求項６は、
前記所定の優先基準を、
利用者による手動で、利用者による音声認識で、又は、自動スケジュールで、
切り替え可能なように構成した
請求項１から５のいずれか一項に記載のコンピュータシステムを提供する。
：ここで、優先基準の切り替え対象となる例としては、以下のようなものを挙げることができる
・「対話モード１〜９」：１から９の番号に対応する所定のＵＲＩのチャンネルとのみ対話するモード（利用者の発言もそのチャンネルにのみ録音される）。
・「複数監視モード」：指定した複数のチャンネルを所定の優先順位で同時に視聴するモード（利用者の発言を禁止するようにプログラムすることも、すべてのチャンネルに一斉に録音するようにすることもできる）
・「就寝モード」：緊急警報であるとして利用者が端末側の設定ファイルにフラグで示したチャンネルのみの新規録音のみを該当サーバーに問い合わせてダウンロードして再生するよう端末側をプログラムしている。
・「マナーモード」：イヤホンジャックにイヤホンが挿入されているときのみ再生するよう端末をプログラムしている。再生しないときは、端末の画面に当該再生すべき内容（音声単位）を音声認識したテキストを表示するようにすることもできる。
・「オフモード」：緊急警報も再生しないスリープモード。端末の所定のボタンを操作するか、所定の予約語の音声認識によりこのモードに遷移する。ただし、音声認識によって上記所定のモード（／チャンネル番号）に移行することができるオプションもある。
＞これにより、具体的な優先順位の設定等を場面に応じていちいち具体的に行う必要がなくなる。
また、本発明の。請求項７は。
請求項１から６のいずれか一項に記載のコンピュータシステムで使用するコンピュータプログラムを提供する。
また、本発明の請求項８は、
請求項１から６のいずれか一項に記載のコンピュータシステムを用いたコミュニケーション方法を提供する。する。
【図面の簡単な説明】
【０００７】
【図１】本発明の一実施形態におけるクライアント（端末）側のコンピュータプログラムの動作を示す説明図である。
【図２】本発明の一実施形態におけるサーバー側のコンピュータプログラムの動作を示す説明図である。
【図３】別の実施形態における端末（クライアント）側のコンピュータプログラムの動作を示した説明図である。
【図４】別の実施形態におけるサーバー側のプログラムの動作を示した説明図である。
【発明を実施するための形態】
【０００８】
最良の実施形態では、サーバーごとのポリシーに応じて、音声単位の最長投稿時間を設定できるようになっている（５秒から３０分、平均３０秒）が、端末側のクライアントソフトで、投稿時間が長くなりすぎないように自動的に区切って分けて投稿する機能をもつものもある。
利用者はサーバーおよび端末に対して、以下を設定可能である。
・加入しているチャンネルセット（サーバーＵＲＩ（サーバー内チャンネル番号含む）の集合）と利用者端末におけるそれらの連番
・現在の主モード（対話、複数監視、マナー、就寝）と副モード（音声単位の投稿新しさ優先／各チャンネル内のさかのぼり優先（さかのぼり制限日時を１時間、１日、３営業日、１週間のうちから設定可能））
・緊急チャンネルの番号集合（いかなる場合でもそれらのチャンネルに新規コンテンツが追加された場合には再生する）
・対話モードの場合のチャンネル番号（一つのみ。日時範囲制限を設定可能。制限ない場合は永遠にさかのぼる。いずれのさかのぼりも、デフォルトは、新しいコンテンツが追加された場合は、割り込んでその新しいコンテンツを（複数コンテンツの場合は新しい順に）再生してから、割り込む前の場所に戻りさかのぼる。前の場所に戻らないモードもある。割り込まないモードもある）
・複数監視モードの場合は複数のチャンネルに属するコンテンツ集合について、クライアント側で優先順位（点数）をつけて視聴を行う。この点数をつけるために必要な情報（どのチャンネルにいつ登録された何番までのコンテンツが存在するか）を、クライアントはサーバーに対してＧＥＴで取得する。
・クライアントは、必要なコンテンツをダウンロードして、優先順位の高い順に再生する。
・マナーモードの場合は、複数視聴チャンネル集合及び緊急チャンネルについての更新があった旨を視覚のみで表示する。
・就寝モードの場合は、更新された最新の緊急チャンネルしか再生しない（再生前に警報をならすようにする）
【図１】
2019195149.tif 000002
【図２】
2019195149.tif 000003
【図３】
2019195149.tif 000004
【図４】
2019195149.tif 000005